(57)【要約】【課題】回転清掃体の振動の防振や、振れ回りを確実に抑制できるとともに、組立性、保守性に優れた吸込口体および電気掃除機を提案する。【解決手段】吸込口体８は、底部に吸込口２１を有する箱状のケース２４と、ケース２４よりも柔軟な材料で形成され、ケース２４の側部に設けられたバンパ部２５と、ケース２４の内部に設けられた一対の軸受保持部２６と、軸受保持部２６に嵌着された軸受２７と、吸込口２１に配置され、軸受２７に回動自在に軸支された回転清掃体２８と、を備え、軸受保持部２８は、軸受２７を保持する部分の少なくとも一部がバンパ部２５と一体に形成される。【選択図】  図２
2010273965.tif 000002
【特許請求の範囲】
【請求項１】
底部に吸込口を有する箱状のケースと、
前記ケースよりも柔軟な材料で形成され、前記ケースの側部に設けられたバンパ部と、
前記ケースの内部に設けられた一対の軸受保持部と、
前記軸受保持部に嵌着された軸受と、
前記吸込口に配置され、前記軸受に回動自在に軸支された回転清掃体と、を備え、
前記軸受保持部は、前記軸受を保持する部分の少なくとも一部が前記バンパ部と一体に形成されたことを特徴とする吸込口体。
【請求項２】
前記ケースに着脱自在に装着され、前記軸受保持部のうち前記バンパ部と一体に形成された部分を前記ケースとともに挟持する蓋体を備えたことを特徴とする請求項１に記載の吸込口体。
【請求項３】
前記回転清掃体を回動させる駆動部と、
前記駆動部から前記回転清掃体に駆動力を伝達するベルトと、を備え、
前記軸受保持部は、前記軸受の前記駆動部側の側面を保持する部分が前記バンパ部と一体に形成されたことを特徴とする請求項１に記載の吸込口体。
【請求項４】
前記軸受保持部は、前記軸受の側面の全周を保持する部分が前記バンパ部と一体に形成されたことを特徴とする請求項１に記載の吸込口体。
【請求項５】
前記ケースに着脱自在に装着され、一方の前記軸受保持部のうち前記バンパ部と一体に形成された部分を前記ケースとともに挟持する蓋体を備え、
他方の前記軸受保持部は、前記軸受の側面の全周を保持する部分が前記バンパ部と一体に形成されたことを特徴とする請求項１に記載の吸込口体。
【請求項６】
前記回転清掃体を回動させる駆動部と、
前記駆動部から前記回転清掃体に駆動力を伝達するベルトと、を備え、
前記ベルトに近い側の前記軸受保持部は、前記軸受の前記駆動部側の側面を保持する部分が前記バンパ部と一体に形成され、
他方の前記軸受保持部は、前記軸受の側面の全周を保持する部分が前記バンパ部と一体に形成されたことを特徴とする請求項１に記載の吸込口体。
【請求項７】
前記軸受保持部は、前記軸受保持部のうち前記バンパ部と一体に形成された部分であり、かつ前記軸受に対向する内面側または前記ケースに対向する外面側に凹凸を備えたことを特徴とする請求項１から５のいずれか１項記載の吸込口体。
【請求項８】
前記軸受は前記軸受保持部に嵌脱自在に嵌着され、
前記軸受保持部は、前記軸受保持部のうち前記バンパ部と一体に形成された部分が前記バンパ部に対し回転変位自在に設けられ、
前記ケースから前記回転清掃体を着脱するに際し、前記軸受を前記軸受保持部に嵌脱可能な方向へ前記回転清掃体を指向可能なことを特徴とする請求項１に記載の吸込口体。
【請求項９】
前記軸受保持部は、前記軸受の端面を保持する部分が前記バンパ部と一体に形成されたことを特徴とする請求項１に記載の吸込口体。
【請求項１０】
前記軸受保持部は、前記軸受の端面を保持する部分に凹凸を備えたことを特徴とする請求項９に記載の吸込口体。
【請求項１１】
掃除機本体と、
請求項１から１０のいずれか１項に記載の吸込口体と、を備えたことを特徴とする電気掃除機。
【発明の詳細な説明】
【技術分野】
【０００１】
本発明は、回転清掃体を有する吸込口体および電気掃除機に関する。
【背景技術】
【０００２】
従来、底部に吸込口を有する箱状の本体部と、本体部に形成された軸受保持部と、軸受保持部に支持された軸受と、吸込口に配置され、軸受に回動自在に軸支された回転清掃体と、を備えた吸込口体が知られている。回転清掃体は、回転軸に沿う柱状の基部と、基部に螺旋帯状または放射帯状に設けられた毛ブラシやブレードとを備える。
【０００３】
このように構成された吸込口体は、回転清掃体を回転させると、毛ブラシやブレードが被掃除面上の塵埃を掻き上げ、この掻き上げられた塵埃を吸込口に作用する負圧によって吸い込む。このとき、回転清掃体は、被掃除面に接触する毛ブラシやブレードから反力を受ける。そして、回転清掃体は、それ自体のアンバランスや、被掃除面から作用する反力によって振動したり、軸受保持部や軸受の隙間（ガタ）で振れ回ったりする。この回転清掃体の振動や振れ回りは、吸込口体を振動させ、騒音を発生させる。
【０００４】
そこで、本体部に形成された一対の軸受保持部と、軸受保持部に支持された一対の軸受と、軸受に回転自在に軸支された回転清掃体と、軸受を本体部の吸込口方向に付勢するバネと、を備えた吸込口体が知られている（例えば、特許文献１参照。）。
【０００５】
また、本体部に形成された一対の軸受保持部と、軸受保持部に支持された一対の軸受と、軸受に回転自在に軸支された回転清掃体と、軸受保持部と軸受との間に設けられ、波形に形成されたバネと、を備えた吸込口体が知られている（例えば、特許文献２参照。）。
【先行技術文献】
【特許文献】
【０００６】
【特許文献１】特開平２−８４９２１号公報
【特許文献２】特開平４−３２２６２７号公報
【発明の概要】
【発明が解決しようとする課題】
【０００７】
従来の吸込口体は、本体部とは別部材であるバネを用い、軸受保持部に設けられた軸受を弾性支持し、回転清掃体の防振や、振れ回りの抑制によって吸込口体の振動および騒音を低減させる。
【０００８】
しかし、吸込口体の使用上の利便性を考慮した本体部の大きさの都合上、指先程度の大きさのバネを本体部の別部材とすることは、吸込口体の組立性や保守性の観点から問題がある。例えば、組み立てに係る作業量の増加や、回転清掃体を清掃のため本体部から離脱させた際のバネの紛失の虞や、組み立て異常時によってバネが脱落し掃除機本体に吸い込まれる虞などの問題がある。
【０００９】
一方、近年、電動送風機が収容された掃除機本体は、電動送風機の支持構造や収容容器の進歩にともない電動送風機の駆動による振動を効果的に防振し、排気による騒音を低減させることに成功している。電気掃除機のユーザは、掃除機本体から発せられる騒音の大きさが小さくなることで、相対的に吸込口体が発生させる騒音を大きく感じるようになる。そこで、電気掃除機の全体として騒音を低減させるため、掃除機本体と同様に吸込口体の騒音を低減させる必要が生じている。
【００１０】
本発明は、回転清掃体の振動の防振や、振れ回りを確実に抑制できるとともに、組立性、保守性に優れた吸込口体および電気掃除機を提案する。
【課題を解決するための手段】
【００１１】
前記の課題を解決するため本発明に係る吸込口体および電気掃除機は、底部に吸込口を有する箱状のケースと、前記ケースよりも柔軟な材料で形成され、前記ケースの側部に設けられたバンパ部と、前記ケースの内部に設けられた一対の軸受保持部と、前記軸受保持部に嵌着された軸受と、前記吸込口に配置され、前記軸受に回動自在に軸支された回転清掃体と、を備え、前記軸受保持部は、前記軸受を保持する部分の少なくとも一部が前記バンパ部と一体に形成されたことを特徴とする。
【発明の効果】
【００１２】
本発明によれば、回転清掃体の振動の防振や、振れ回りを確実に抑制できるとともに、組立性、保守性に優れた吸込口体および電気掃除機を提案できる。
【図面の簡単な説明】
【００１３】
【図１】本発明の実施形態に係る電気掃除機の外観を示した図。
【図２】本発明の実施形態に係る電気掃除機の吸込口体を部分的に切り欠いて示した平面図。
【図３】本発明の実施形態に係る吸込口体のバンパ部および軸受保持部の一例を示した平面図。
【図４】本発明の実施形態に係る吸込口体のバンパ部および軸受保持部の一例を部分的に示した図。
【図５】本発明の実施形態に係る電気掃除機の吸込口体の軸受保持部を示した断面図。
【図６】本発明の実施形態に係る電気掃除機の吸込口体の軸受保持部を示した断面図。
【図７】本発明の実施形態に係る電気掃除機の吸込口体の軸受保持部を示した断面図。
【図８】本発明の実施形態に係る電気掃除機の吸込口体の軸受保持部を示した断面図。
【図９】本発明の実施形態に係る電気掃除機の吸込口体の軸受保持部を示した断面図。
【図１０】本発明の実施形態に係る電気掃除機の吸込口体の軸受保持部を示した断面図。
【図１１】本発明の実施形態に係る電気掃除機の吸込口体の軸受保持部を示した断面図。
【図１２】本発明の実施形態に係る電気掃除機の吸込口体の軸受保持部を示した断面図。
【発明を実施するための形態】
【００１４】
本発明に係る電気掃除機の実施形態について図１から図１２を参照して説明する。
【００１５】
図１は、本発明の実施形態に係る電気掃除機の外観を示した図である。
【００１６】
図１に示すように、本実施形態に係る電気掃除機１は、掃除機本体２と、集塵ホース３と、手元操作管４と、把持部５と、操作部６と、延長管７と、吸込口体８と、を備える。
【００１７】
掃除機本体２は、塵埃分離集塵部１０と、電動送風機１２と、制御部１３と、電動送風機１２に電力を導く電源コード１４と、を備える。塵埃分離集塵部１０は、掃除機本体２に形成された集塵室２ａに着脱自在に装着される。また、塵埃分離集塵部１０は、紙パック方式や、遠心分離方式などの集塵方式で構成される。制御部１３は、予め設定された複数の運転モードを有し、操作部６から入力される操作信号に基いて任意の運転モードを択一的に選択可能に構成される。それぞれの運転モードは、電動送風機１２に供給される電力を互いに異ならせて設定される。制御部１３は、選択された運転モードに対応する電力を電動送風機１２に供給し、電動送風機１２の運転出力を制御する。電源コード１４は、その自由端部に電源プラグ１５を備える。
【００１８】
また、掃除機本体２は、集塵ホース３の一端が着脱自在に接続された接続口２ｂと、電動送風機１２の排気を掃除機本体の外に吐出する排気口（図示省略）と、を有する。
【００１９】
集塵ホース３は、可撓性を有し、湾曲自在な細長略円筒状に形成される。集塵ホース３の一端は、接続口２ｂに着脱自在に接続される。集塵ホース３は、掃除機本体２の内部に連通される。
【００２０】
手元操作管４の一端は、集塵ホース３の他端に設けられる。手元操作管４は、集塵ホース３を介して掃除機本体２の内部に連通される。
【００２１】
把持部５は、電気掃除機１の使用者が把持して電気掃除機１を操作するものである。把持部５は、手元操作管４の他端部に突設され、集塵ホース３が設けられた手元操作管４の一端部に向けて湾曲させて形成される。
【００２２】
操作部６は、把持部５に設けられる。電気掃除機１のユーザは、操作部６を操作して電動送風機１２の運転モードを選択できる。操作部６は、電動送風機１２を停止させる停止スイッチ６ａや、電動送風機１２の運転を開始させる起動スイッチ６ｂなどを有する。起動スイッチ６ｂを繰り返し操作することで、電動送風機１２の運転モードを択一的に選択できる。
【００２３】
延長管７は、伸縮可能な細長略円筒状に形成される。延長管７は、複数の筒状体を重ね合わせてテレスコピック構造に構成される。延長管７の一端は、手元操作管４の他端に着脱自在に接続される。延長管７は、手元操作管４、および集塵ホース３を介して掃除機本体２の内部に連通される。
【００２４】
吸込口体８は、延長管７の一端に着脱自在に接続される。吸込口体８は、延長管７、手元操作管４、および集塵ホース３を介して掃除機本体２の内部に連通される。
【００２５】
電気掃除機１は、操作部６の起動スイッチ６ｂが操作されると、電動送風機１２が運転を開始し、塵埃分離集塵部１０に負圧が作用する。この負圧は掃除機本体２の接続口２ｂから集塵ホース３と手元操作管４と延長管７とを経て吸込口体８に作用する。そうすると、電気掃除機１は吸込口体８から床などの被掃除面に溜まった塵埃を空気とともに吸い込んで被掃除面を掃除する。吸込口体８に吸い込まれた含塵空気は、掃除機本体２に収容された塵埃分離集塵部１０によって空気と塵埃とに分離される。分離された塵埃は塵埃分離集塵部１０に集塵される。他方、分離された空気は、電動送風機１２を通って排気口から掃除機本体２の外部へ吐出される。
【００２６】
図２は、本発明の実施形態に係る電気掃除機の吸込口体を部分的に切り欠いて示した平面図である。
【００２７】
図２に示すように、吸込口体８は、略直方体形状の箱状の本体部１７と、延長管７が着脱自在に接続される接続管部１８と、を備える。
【００２８】
ここで、吸込口体８の前進方向（図２中、実線矢Ｘ）を前方、その反対方向を後方とする。また、吸込口体８を床面などの略水平な被掃除面に配置した状態で、後から前を見たときの左側（図２中、実線矢Ｙ）を左方、その反対方向を右方とする。さらに、吸込口体８の前後方向および左右方向に直交する右手座標系の＋Ｚ方向を上方とし、その反対方向を下方とする。
【００２９】
本体部１７は、前後方向に短辺、左右方向に長辺を有する。本体部１７は、底部に吸込口２１を有する吸込室２２が区画されたケース２４と、ケース２４よりも柔軟な材料で形成され、ケース２４の側部に設けられたバンパ部２５と、ケース２４の内部に設けられた一対の軸受保持部２６と、軸受保持部２６に嵌着された一対の軸受２７と、吸込口２１に配置され、軸受２７に回動自在に軸支された回転清掃体２８と、回転清掃体２８を回動させる駆動部２９と、を備える。
【００３０】
ケース２４は、例えばＡＢＳ樹脂を用いて形成され、上方が開放された箱状の下ケース３１と、下ケース３１の後部を覆う上ケース３２と、下ケースの前部を覆う蓋体３３と、を備える。ケース２４は、前側の内部に吸込口２１を有する吸込室２２が区画され、後側の左右の内部に機器収容室３４ａ、３４ｂが区画される。吸込室２２は、本体部１７の左右方向に幅広に形成されとともに、接続管部１８に連通される。吸込口２１は、本体部１７の底面に配置される。また、吸込口２１は、本体部１７の左右方向に細長く形成された略長方形状の開口である。吸込室２２は、吸込口体８を被清掃面に配置すると、吸込口２１を通して被清掃面を臨む。上ケース３２は、下ケース３１とともに機器収容室３４ａ、３４ｂを区画する。蓋体３３は、下ケース３１に着脱自在に装着され、下ケース３１とともに吸込室２２を区画する。
【００３１】
バンパ部２５は、本体部１７の前側の側部、左右の側部、および後側の側部の一部に渡って一体に形成される。また、バンパ部２５は、ケース２４に用いられる材料よりも柔軟な材料、例えばエラストマーを用いて形成される。
【００３２】
軸受保持部２６は、軸受２７を介して回転清掃体２８を吸込室２２に保持するものであり、吸込室２２内の左右それぞれに配置され、互いに対向させて設けられる。また、軸受保持部２６は、軸受２７を保持する部分の少なくとも一部がバンパ部２５と一体に形成される。
【００３３】
軸受２７は、軸受保持部２６に嵌脱自在に嵌着される。
【００３４】
回転清掃体２８は、吸込室２２に収容され、軸受２７を介して軸受保持部２６に保持される。また、回転清掃体２８は、回転軸３５と、回転軸３５の一方側の端部近傍に設けられたプーリ３６と、回転軸３５の周壁部から螺旋帯状に突設された複数のブラシ毛３７と、を備える。なお、回転清掃体２８は、ブラシ毛３７の他にゴムなどの弾性体で形成されたブレード（図示省略）を備えるものでも良い。回転軸３５の両端部には、軸受２７が回転自在に設けられる。
【００３５】
駆動部２９は、左右いずれか、例えば左側の機器収容室３４ｂに収容される。駆動部２９は、回転清掃体２８を回動させる駆動源としての電動機３８と、電動機３８の駆動力を回転清掃体２８のプーリ３６に伝達するベルト３９と、を備える。なお、回転清掃体２８の駆動源は、電動機３８に換えて吸込口体８に作用する負圧を利用して回転力を発生させるタービンを用いても良い。なお、回転清掃体２８を回動させる駆動源として、蓋体３３の適宜の位置に、吸込室２２に連通された孔（図示省略）を設けてもよい。この孔は、吸込室２２に作用する負圧によって孔を通じて吸込室２２に吸い込まれる空気が、回転清掃体２８のブラシ毛３７やブレードに吹き付けられるように配置される。このような駆動源によれば、ブラシ毛３７やブレードに吹き付けられた空気の反作用によって回転清掃体２８が回動される。
【００３６】
接続管部１８は、本体部１７の後部側の幅方向略中央部に配置される。また、接続管部１８は、回動接続管部４１と、傾動接続管部４２と、を備える。回動接続管部４１は、本体部１７の後部側の幅方向略中央部に配置され、かつ吸込口体８の前後方向に沿う軸（Ｘ軸）回りに回動自在に枢支される。傾動接続管部４２は、回動接続管部４１に傾動自在に設けられる。すなわち、傾動接続管部４２は、回動接続管部４１の回転軸（Ｘ軸）に直交する軸回りに揺動自在に構成される。また、傾動接続管部４２は、延長管７の自由端部に着脱自在に接続される。
【００３７】
このように構成された吸込口体８は、延長管７から接続管部１８を経て吸込室２２に負圧を作用させる。この負圧は、吸込口２１に作用し、被掃除面上の塵埃を空気とともに吸込室２２に吸い込む。吸込室２２に吸い込まれた含塵空気は、接続管部１８を経て延長管７に案内される。
【００３８】
図３は、本発明の実施形態に係る吸込口体のバンパ部および軸受保持部の一例を示した平面図である。
【００３９】
図４は、本発明の実施形態に係る吸込口体のバンパ部および軸受保持部の一例を部分的に示した図である。
【００４０】
図３および図４に示すように、吸込口体８のバンパ部２５および軸受保持部２６は、一体に形成される。軸受保持部２６は、軸受２７を保持する部分の全てをバンパ部２５と一体に備えても良く、また、軸受２７を保持する部分の少なくとも一部をバンパ部２５と一体に備えても良い。
【００４１】
軸受保持部２６は、軸受２７を介して伝達される回転清掃体２８のラジアル方向およびスラスト方向の力に抗して回転清掃体２８を保持可能なように、凹没させて形成される。すなわち、軸受保持部２６は、軸受２７を保持する部分として、軸受２７の前側に位置する前側壁４５ａと、軸受２７の後側に位置する後側壁４５ｂと、軸受２７の上側に位置する上側壁４５ｃと、軸受２７の下側に位置する下側壁４５ｄと、軸受２７のスラスト方向に位置する底壁４５ｅと、を備える。前側壁４５ａ、後側壁４５ｂ、上側壁４５ｃおよび下側壁４５ｄは、軸受２７のラジアル方向に位置する。
【００４２】
本実施形態に係る軸受保持部２６は、前側壁４５ａ、後側壁４５ｂ、上側壁４５ｃ、下側壁４５ｄおよび底壁４５ｅの全ての部分をバンパ部２５と一体に備えるものであるが、軸受２７を介して伝達される回転清掃体２８のラジアル方向およびスラスト方向の力の軽重によって、各壁４５ａ、４５ｂ、４５ｃ、４５ｄ、４５ｅのいずれかの部分を残して他の部分をケース２４と一体に形成することもできる。
【００４３】
図５および図６は、本発明の実施形態に係る電気掃除機の吸込口体の軸受保持部を示した断面図である。なお、図５は、吸込口体８をＸＺ平面に平行な面で切断した断面を示した図であり、吸込口体８の右側に配置された軸受保持部２６ａを示した図である。図６は、吸込口体８をＹＺ平面に平行な面で切断した断面を示した図であり、吸込口体８の右側に配置された軸受保持部２６ａを示した図である。
【００４４】
図５および図６に示すように、吸込口体８の蓋体３３は、下ケース３１の前部に着脱自在に装着され、バンパ部２５、および軸受保持部２６ａのうちバンパ部２５と一体に形成された部分を下ケース３１とともに挟持する。具体的には、軸受保持部２６ａは、軸受２７の側面を保持する前側壁４５ａ、後側壁４５ｂ、上側壁４５ｃおよび下側壁４５ｄがバンパ部２５と一体に形成される。また、軸受保持部２６ａは、軸受２７の端面を保持する底壁４５ｅがバンパ部２５と一体に形成される。さらに、軸受保持部２６ａは、下ケース３１に形成された複数のリブ４７によって前後部および下部を保持され、下ケース３１の上方に着脱自在に装着された蓋体３３によって上部を保持され、下ケース３１と蓋体３３とで挟持される。
【００４５】
また、蓋体３３は、回転清掃体２８に形成された鍔部４８から離間させて回転清掃体脱落防止リブ４９を備える。
【００４６】
図７および図８は、本発明の実施形態に係る電気掃除機の吸込口体の軸受保持部を示した断面図である。なお、図７および図８は、吸込口体８をＸＺ平面に平行な面で切断した断面を示した図であり、吸込口体８の左側に配置された軸受保持部２６ｂを示した図である。
【００４７】
図７および図８に示すように、吸込口体８の軸受保持部２６ｂは、少なくとも軸受２７の駆動部２９側の側面を保持する後側壁４５ｂがバンパ部２５と一体に形成される。
【００４８】
そして、図７に示すように、軸受保持部２６ｂは、後側壁４５ｂの他に前側壁４５ａ、上側壁４５ｃおよび下側壁４５ｄをバンパ部２５と一体に形成しても良い。
【００４９】
また、図８に示すように、軸受保持部２６ｂは、後側壁４５ｂの他に上側壁４５ｃおよび下側壁４５ｄをバンパ部２５と一体に形成しても良い。すなわち、駆動部２９に近い側の軸受保持部２６ｂは、回転清掃体２８のプーリ３６と駆動部２９との間に掛けられたベルト３９の張力によって、駆動部２９の方向に付勢されるため、その反対側に位置する前側壁４５ａを蓋体３３（または下ケース３１）に形成した軸受保持リブ５１で構成することができる。なお、ベルト３９の張力を増すことで、蓋体３３に形成された軸受保持リブ（図示省略）で上側壁４５ｃを構成し、下ケース３１に形成された軸受保持リブ（図示省略）で下側壁４５ｄを構成することもできる。
【００５０】
図９および図１０は、本発明の実施形態に係る電気掃除機の吸込口体の軸受保持部を示した断面図である。
【００５１】
図９に示すように、吸込口体８の軸受保持部２６ａは、バンパ部２５と一体に形成された部分であり、かつ軸受２７に対向する内面側に凹凸５２を備える。
【００５２】
本実施形態に係る軸受保持部２６ａは、バンパ部２５と一体に形成された前側壁４５ａ、後側壁４５ｂ、上側壁４５ｃおよび下側壁４５ｄであり、かつ軸受２７に対向する内面側に凹凸５２を備える。
【００５３】
なお、他方側の軸受保持部２６ｂも同様に凹凸５２を備えることができる。
【００５４】
図１０に示すように、吸込口体８の軸受保持部２６ａは、バンパ部２５と一体に形成された部分であり、かつケース２４に対向する外面側に凹凸５３を備える。
【００５５】
本実施形態に係る軸受保持部２６ａは、バンパ部２５と一体に形成された前側壁４５ａ、後側壁４５ｂ、上側壁４５ｃおよび下側壁４５ｄであり、かつケース２４に対向する外面側に凹凸５３を備える。
【００５６】
なお、他方側の軸受保持部２６ｂも同様に凹凸５３を備えることができる。
【００５７】
図１１は、本発明の実施形態に係る電気掃除機の吸込口体の軸受保持部を示した断面図である。
【００５８】
図１１に示すように、吸込口体８の軸受保持部２６ａは、軸受２７の端面を保持する部分、すなわち底壁４５ｅに凹凸５４を備える。
【００５９】
なお、他方側の軸受保持部２６ｂも同様に凹凸５４を備えることができる。
【００６０】
図１２は、本発明の実施形態に係る電気掃除機の吸込口体の軸受保持部を示した断面図である。
【００６１】
図１２に示すように、吸込口体８の軸受保持部２６は、バンパ部２５と一体に形成された部分がバンパ部２５に対し回転変位自在に設けられる。本実施形態に係る軸受保持部２６は、バンパ部２５と一体に形成された前側壁４５ａ、後側壁４５ｂ、上側壁４５ｃ、下側壁４５ｄおよび底壁４５ｅの全体がバンパ部２５に対し回転変位自在に設けられる。
【００６２】
バンパ部２５および軸受保持部２６のうちバンパ部２５と一体に形成された部分は、柔軟な材料を用いて形成されているので容易に変形が可能であり、軸受保持部２６のうちバンパ部２５と一体に形成された部分をバンパ部２５に対して回転させることができる。
【００６３】
ここで、回転清掃体２８は、使用にともない繊維状の塵埃が絡まったり、綿埃がブラシ毛３７に纏わり付くため、ケース２４から取り外した状態で清掃し、再使用のためにケース２４内に戻す必要がある。
【００６４】
そこで、先ず、ケース２４から蓋体３３を離脱し、回転清掃体２８を露出させる。次に、軸受２７とともに回転清掃体２８の一端を軸受保持部２６ｂから抜き取る。例えば、図８に示すように構成された軸受保持部２６ｂは、蓋体３３を離脱することで、その前側壁４５ａが蓋体３３とともに無くなり、軸受２７を容易に抜き取ることができる。これにより、回転清掃体２８の一端側の拘束が解かれる。
【００６５】
そうすると、図１２に示すように、軸受保持部２６ａは、その全体がバンパ部２５に対し回転変位自在に設けられるので、軸受２７を軸受保持部２６ａから容易に抜き取れる方向へ回転清掃体２８および軸受２７を適宜に指向できる。この状態で、軸受保持部２６ａから軸受２７が抜き取られ、回転清掃体２８をケース２４から取り出すことができる。
【００６６】
また、ケース２４に回転清掃体２８を戻すときは、この逆の方法で軸受２７を軸受保持部２６ａ、２６ｂにそれぞれ嵌め込み、回転清掃体２８をケース２４内に納めることができる。
【００６７】
本実施形態に係る吸込口体８によれば、ケース２４と軸受２７との間にケース２４よりも柔軟な材料で形成された軸受保持部２６（または軸受保持部２６の一部）を介在させて回転清掃体２８の回転による振動、振れ回りを低減し、かつケース２４への振動の伝搬を抑制して騒音を小さくできる。これにより、吸込口体８は、近年の騒音が低減された掃除機本体２とともに騒音の小さい静寂な電気掃除機１を構成できる。
【００６８】
また、本実施形態に係る吸込口体８によれば、軸受保持部２６（または軸受保持部２６の一部）をバンパ部２５と一体に形成することが可能であり、従来の吸込口体のようにバネなどの別部材を必要とせず、当該別部材の脱落、紛失および掃除機本体２に吸い込んでしまうなどの不都合が生じる虞がない。
【００６９】
さらに、本実施形態に係る吸込口体８によれば、軸受保持部２６（または軸受保持部２６の一部）をバンパ部２５と一体に形成することにより、従来の吸込口体のようにバネなどの別部材をケース２４（またはケース２４に一体に形成された従来の軸受保持部）と軸受２７との間に組み付け、または清掃のために分解、再組み立てするといった煩わしさがなく、組立性、保守性に優れた構造を有することができる。
【００７０】
さらにまた、本実施形態に係る吸込口体８によれば、従来の吸込口体のようにバネなどの別部材をケース２４（またはケース２４に一体に形成された従来の軸受保持部）と軸受２７との間に組み付ける場合に比べて、軸受保持部２６のうち回転清掃体２８の防振上、重要な部分を選択的にバンパ部２５と一体に形成することが可能となり、より効果的に回転清掃体２８の回転による振動、振れ回りを低減し、かつケース２４への振動の伝搬を抑制して騒音を小さくできる。
【００７１】
また、本実施形態に係る吸込口体８によれば、バンパ部２５と一体に形成された軸受保持部２６（または軸受保持部２６の一部）の内面または外面に凹凸を設けることによってケース２４または軸受２７との間の支持剛性を適宜に設定し回転清掃体２８の回転による振動、振れ回りを低減し、かつケース２４への振動の伝搬を抑制して騒音を小さくできる。
【００７２】
したがって、本発明に係る電気掃除機１および吸込口体８によれば、回転清掃体２８の振動の防振や、振れ回りを確実に抑制できるとともに、組立性、保守性に優れた構成を備えることができる。
【符号の説明】
【００７３】
１  電気掃除機
２  掃除機本体
２ａ  集塵室
２ｂ  接続口
３  集塵ホース
４  手元操作管
５  把持部
６  操作部
６ａ  停止スイッチ
６ｂ  起動スイッチ
７  延長管
８  吸込口体
１０  塵埃分離集塵部
１２  電動送風機
１３  制御部
１４  電源コード
１５  電源プラグ
１７  本体部
１８  接続管部
２１  吸込口
２２  吸込室
２４  ケース
２５  バンパ部
２６、２６ａ、２６ｂ  軸受保持部
２７  軸受
２８  回転清掃体
２９  駆動部
３１  下ケース
３２  上ケース
３３  蓋体
３４ａ、３４ｂ  機器収容室
３５  回転軸
３６  プーリ
３７  ブラシ毛
３８  電動機
３９  ベルト
４１  回動接続管部
４２  傾動接続管部
４５ａ  前側壁
４５ｂ  後側壁
４５ｃ  上側壁
４５ｄ  下側壁
４５ｅ  底壁
４７  リブ
４８  鍔部
４９  回転清掃体脱落防止リブ
５１  軸受保持リブ
５２、５３、５４  凹凸
【図１】
2010273965.tif 000003
【図２】
2010273965.tif 000004
【図３】
2010273965.tif 000005
【図４】
2010273965.tif 000006
【図５】
2010273965.tif 000007
【図６】
2010273965.tif 000008
【図７】
2010273965.tif 000009
【図８】
2010273965.tif 000010
【図９】
2010273965.tif 000011
【図１０】
2010273965.tif 000012
【図１１】
2010273965.tif 000013
【図１２】
2010273965.tif 000014